(57)【要約】      （修正有）【課題】身体管腔の進入孔を通してステントを送達し、ステントを展開した後に進入孔を被覆する方法、装置、およびシステムを提供する。【解決手段】身体管腔接触表面領域を画定するステント本体１３５−ａと、ステント本体１３５−ａから展開してステント１０５−ａの身体管腔接触表面領域を増加させるように構成された展開可能な部材１３０−ａとを含むステントであって、展開可能な部材１３０−ａは、ステント本体１３５−ａに対して蝶番式で動く、巻かれた状態から広がる、延伸する、拡張する、または同軸方向に並進するように構成される。また、ステントを身体管腔内に送達するためのシステムは、ステントの壁の孔から管状部材を引き抜いたときにステントの壁の孔を少なくとも部分的に被覆するように構成された被覆部材を含み得る。被覆部材は、自己封止膜、フラップ弁、または蝶番弁を含み得る。【選択図】図２Ｂ
2020110584.tif 000002
【特許請求の範囲】
【請求項１】
身体管腔接触表面領域を画定するステント本体と、
前記ステント本体から展開して前記ステント本体の前記身体管腔接触表面領域を増加させるように構成された展開可能な部材と、を含むステント。
【請求項２】
前記展開可能な部材が、前記ステント本体の内側から前記ステント本体の外側に蝶番式で動くように構成される、請求項１に記載のステント。
【請求項３】
前記展開可能な部材が、前記ステント本体の内側から前記ステント本体の外側に巻かれた状態から広がるように構成される、請求項１に記載のステント。
【請求項４】
前記展開可能な部材が、前記ステント本体から離れる方向で軸方向に長さを延伸するように構成される、請求項１に記載のステント。
【請求項５】
前記展開可能な部材が、前記ステント本体の内側から前記ステント本体の外側に、前記ステント本体から離れる方向で軸方向に並進するように構成される、請求項１に記載のステント。
【請求項６】
前記展開可能な部材が、前記ステント本体に蝶番式で連結された少なくとも１つのフラップを含む、請求項１に記載のステント。
【請求項７】
前記展開可能な部材が、前記ステント本体に蝶番式に連結され、かつ前記ステント本体の円周の周りに等間隔で離間された複数のフラップを含む、請求項１に記載のステント。
【請求項８】
前記展開可能な部材が、前記ステント本体の端部に連結されたアコーディオン管を含む、請求項１に記載のステント。
【請求項９】
前記アコーディオン管が、少なくとも１つの統合されたバネ要素を含む、請求項８に記載のステント。
【請求項１０】
前記展開可能な部材が、前記ステントの前記ステント本体の内側に適合するように寸法決めされた管状本体を含む、請求項１に記載のステント。
【請求項１１】
前記展開可能な部材が、可撓性スリーブを含む、請求項１に記載のステント。
【請求項１２】
前記展開可能な部材が、前記ステントが身体管腔に進入した前記身体管腔の身体管腔進入孔を被覆するように寸法決めされる、請求項１に記載のステント。
【請求項１３】
身体管腔にステントを留置するシステムであって、前記システムは、
ステント本体および展開可能な部材を備えるステントと、
前記ステントを前記身体管腔の進入部位を通して送達するように構成されるステント送達システムと
を含み、
前記展開可能な部材は、前記進入部位を被覆するために前記ステント本体から展開されるように構成される、システム。
【請求項１４】
前記展開可能な部材は、前記展開可能な部材を拘束された構成から解放することによって展開されるように構成される、請求項１３に記載のシステム。
【請求項１５】
前記展開可能な部材は、前記展開可能な部材を引っ張ることによって展開されるように構成される、請求項１３に記載のシステム。
【請求項１６】
ステントを身体管腔内に送達するためのシステムであって、
ステントと、
前記身体管腔の壁の進入部位を通して前記ステントを送達するように構成されたステント送達システムと、
前記ステントの近位部分が前記進入部位を少なくとも部分的に被覆するように、前記ステントを前記進入部位に向かって引っ込めるように構成された管状部材であって、前記管状部材が前記ステントの遠位部分に沿って前記ステントの内側を延伸し、前記ステントの壁の孔を通って延伸し、前記ステントの前記近位部分に沿って前記ステントの外側に延伸するように、前記ステントが前記管状部材上に配置される、管状部材と、
前記ステントの前記壁の前記孔から前記管状部材を引き抜いたときに前記ステントの前記壁の前記孔を少なくとも部分的に被覆するように構成された被覆部材と、を含む、システム。
【請求項１７】
前記被覆部材が、前記ステントの前記壁の外面に配置され、かつ前記ステントの前記壁の前記孔を通して前記管状部材を引き抜いたときに前記ステントの前記壁の前記孔を封止するように構成される自己封止膜材料を含む、請求項１６に記載のシステム。
【請求項１８】
前記被覆部材が、前記ステントの前記壁の前記孔を通して前記管状部材を引き抜いたときに前記ステントの前記壁の前記孔を封止するように構成されるフラップ弁を含む、請求項１６に記載のシステム。
【請求項１９】
前記被覆部材が、前記ステントの前記壁の前記孔を通して前記管状部材を引き抜いたときに、蝶番弁が前記ステントの前記壁の前記孔を少なくとも部分的に被覆するように蝶番式で動くように構成される前記蝶番弁を含む、請求項１６に記載のシステム。
【請求項２０】
前記ステントの中央部分の外面に配置されたポリマージャケットをさらに含み、前記被覆部材が前記ポリマージャケットに連結されている、請求項１９に記載のシステム。
【発明の詳細な説明】
【背景技術】
【０００１】
胆嚢、膵臓、および胆管（すなわち、膵胆管系）の疾患および障害は、著しい罹患率、死亡率、および生活の質の低下に関連する。閉塞、腫瘍、損傷、漏出、炎症、感染、および病変がこれらの組織で発生する可能性があり、最終的に胆道疝痛、胆嚢炎、総胆管結石症、胆石症、膵炎、膵管結石形成、および慢性腹痛などの状態につながる可能性がある。膵胆管系の疾患は、栄養失調、肥満、および高コレステロールなどの栄養障害にも関連し得る。
【０００２】
胆道閉塞を治療するために、標準的な内視鏡的逆行性膵胆管造影（ＥＲＣＰ）手順が実施され得る。一般に、標準的なＥＲＣＰ手順には、内視鏡が食道を下って胃から十二指腸に入れることが含まれる。次に、逆行方向に沿って大十二指腸乳頭を通り、総胆管へと、内視鏡からガイドワイヤを配置する。ガイドワイヤが所定の位置に配置されたら、ステントまたは他の治療装置をガイドワイヤ上で総胆管に進め、閉塞、生検腫瘍を除去するか、または別の方法で胆道系を治療することができる。
【０００３】
胆管閉塞が大きすぎる場合や、または別の方法でガイドワイヤを用いて通過させることが困難な場合など、いくつかの場合では、標準的な逆行性アプローチを使用して、十二指腸から胆管に進入することができない。ガイドワイヤで大十二指腸乳頭を繰り返し突き刺すことにより膵炎を引き起こす危険性は、標準的な逆行性アプローチが回避され得る別の理由である。他の場合では、胆管への十二指腸からの進入が阻止または妨害される場合がある。これらの状況では、胆道閉塞の治療に順行性アプローチが使用され得る。
【０００４】
「ランデブー」処置として知られる特定の順行性アプローチでは、ＥＵＳ（内視鏡超音波検査）内視鏡を使用して閉塞部の上側にある総胆管に進入（すなわち逆行）すること、次いで、進入部位を通って総胆管へ、順行方向に沿って閉塞部を横切り、乳頭を通って十二指腸へとガイドワイヤを導くこと、を含む。次いで、ガイドワイヤを所定の位置に留置したまま、ＥＵＳ内視鏡を患者から引き抜き、標準的なＥＲＣＰ内視鏡と交換する。スコープの交換が完了すると、十二指腸中でガイドワイヤの部分を把持し、ＥＲＣＰ内視鏡を通して引き戻す。次いで、臨床者は、標準的なＥＲＣＰ手順と同様に、ガイドワイヤ上のステントまたは他の治療装置を逆行方向で総胆管へと配置することができる。
【０００５】
「ランデブー」アプローチは特定の場合に標準的なＥＲＣＰ手順よりも好ましい場合があるが、「ランデブー」アプローチは時間がかかり、複雑なスコープ交換を必要とし、多くの場合、臨床者がガイドワイヤの配置を見失う原因となる。したがって、標準的なＥＲＣＰ手順が実行不可能な場合に胆道閉塞部を治療する改善された方法が必要とされ得る。
【発明の概要】
【課題を解決するための手段】
【０００６】
記載された特徴は、一般に、進入孔を通してステントを身体管腔に送達し、ステントを展開した後に進入孔を被覆するための方法、装置、およびシステムに関する。進入孔を通してステントを送達し、身体管腔内にステントを展開するためのステント送達システムが記載される。ステントは、ステント送達システムが進入孔を通って引き戻された後、進入孔を被覆するためにステントの本体から展開する展開可能な部材を含んでもよい。大十二指腸乳頭を横切るステントの直接的な順行性配置のために、記載されたステント送達システムを使用して、総胆管の壁を通してステントを送達することができる。ステント送達システムを引き抜いた後に胆汁が周囲の組織へと漏出するのを防ぐために、展開可能な部材をステントの本体から展開して総胆管の進入孔を被覆することができる。
【０００７】
展開可能な部材は、一般に、進入孔を介したステント送達システムの引き抜き中または引き抜き後に展開するように構成される。いくつかの実施例では、展開可能な部材を展開することは、展開可能な部材を拘束された構成から解放することを含む。追加的または代替的に、展開可能な部材を展開することは、展開可能な部材を引っ張ることを含み得る。
【０００８】
進入孔を被覆するための様々なステント設計が提供される。一般に、ステントは、身体管腔内で展開されるときに身体管腔接触表面領域を画定するステント本体を含む。ステントはまた、ステント本体から展開してステントの身体管腔接触表面領域を増加させるように構成された展開可能な部材を含む。
【０００９】
展開可能な部材は、様々な方法でステント本体から展開することができる。例えば、展開可能な部材は、ステント本体の内側からステント本体の外側に蝶番式で動くことができる。展開可能な部材は、ステント本体の内側からステント本体の外側に巻かれた状態から広がることができる。他の実施例では、展開可能な部材は、ステント本体から離れる方向で軸方向に長さを延伸するように構成される。さらに他の実施例では、展開可能な部材は、ステント本体の内側からステント本体の外側に、ステント本体から離れる方向で軸方向に並進するように構成される。
【００１０】
展開可能な部材は、ステント本体に蝶番式で連結された少なくとも１つのフラップを含んでもよい。あるいは、展開可能な部材は、ステント本体に蝶番式で連結され、かつステント本体の円周の周りに等間隔で離間された複数のフラップを含んでもよい。他の実施例では、展開可能な部材は、ステント本体の端部に連結されたアコーディオン管である。アコーディオン管は、１つ以上の統合されたバネ要素を含んでもよい。いくつかの実施例では、展開可能な部材は、ステントのステント本体の内側に適合するように寸法決めされた管状本体である。さらに他の実施例では、展開可能な部材は可撓性スリーブである。
【００１１】
ステントを身体管腔に送達するためのシステムも記載される。特定の態様では、システムは、ステントと、身体管腔の壁の進入部位を通してステントを送達するように構成されたステント送達システムと、ステントの近位部分が進入部位を少なくとも部分的に被覆するように、ステントを進入部位に向かって引っ込めるように構成された管状部材であって、管状部材がステントの遠位部分に沿ってステントの内側を延伸し、ステントの壁の孔を通って延伸し、ステントの近位部分に沿ってステントの外側に延伸するように、ステントが管状部材上に配置される、管状部材と、ステントの壁の孔から管状部材を引き抜いたときにステントの壁の孔を少なくとも部分的に被覆するように構成された被覆部材と、を含む。
【００１２】
特定の態様では、被覆部材は、ステントの壁の外面に配置され、かつステントの壁の孔を通して管状部材を引き抜いたときにステントの壁の孔を封止するように構成される自己封止膜材料を含んでもよい。いくつかの実施例では、被覆部材は、ステントの壁の孔を通して管状部材を引き抜いたときにステントの壁の孔を封止するように構成されるフラップ弁を含んでもよい。特定の態様では、被覆部材は、蝶番式で動くように構成された蝶番弁を含んでもよく、それによって、ステントの壁の孔を通して管状部材を引き抜いたときに、蝶番弁がステントの壁の孔を少なくとも部分的に被覆するように蝶番式で動く。システムはまた、ステントの中央部分の外面に配置されたポリマージャケットを含んでもよく、被覆部材はポリマージャケットに連結されている。
【００１３】
本開示の特定の実施形態は、上記の利点または特徴の一部もしくはすべてを含んでもよく、またはそれらをまったく含まなくてもよい。本明細書に含まれる図面、説明、および特許請求の範囲から、当業者には１つ以上の他の技術的利点または特徴が容易に明らかになり得る。さらに、特定の利点または特徴を上に列挙したが、様々な実施形態は、列挙した利点または特徴のすべてもしくは一部を含んでもよいし、またはそれらをまったく含まなくてもよい。
本発明は、例えば、以下を提供する。
（項目１）
身体管腔接触表面領域を画定するステント本体と、
前記ステント本体から展開して前記ステント本体の前記身体管腔接触表面領域を増加させるように構成された展開可能な部材と、を含むステント。
（項目２）
前記展開可能な部材が、前記ステント本体の内側から前記ステント本体の外側に蝶番式で動くように構成される、上記項目に記載のステント。
（項目３）
前記展開可能な部材が、前記ステント本体の内側から前記ステント本体の外側に巻かれた状態から広がるように構成される、上記項目のいずれかに記載のステント。
（項目４）
前記展開可能な部材が、前記ステント本体から離れる方向で軸方向に長さを延伸するように構成される、上記項目のいずれかに記載のステント。
（項目５）
前記展開可能な部材が、前記ステント本体の内側から前記ステント本体の外側に、前記ステント本体から離れる方向で軸方向に並進するように構成される、上記項目のいずれかに記載のステント。
（項目６）
前記展開可能な部材が、前記ステント本体に蝶番式で連結された少なくとも１つのフラップを含む、上記項目のいずれかに記載のステント。
（項目７）
前記展開可能な部材が、前記ステント本体に蝶番式に連結され、かつ前記ステント本体の円周の周りに等間隔で離間された複数のフラップを含む、上記項目のいずれかに記載のステント。
（項目８）
前記展開可能な部材が、前記ステント本体の端部に連結されたアコーディオン管を含む、上記項目のいずれかに記載のステント。
（項目９）
前記アコーディオン管が、少なくとも１つの統合されたバネ要素を含む、上記項目のいずれかに記載のステント。
（項目１０）
前記展開可能な部材が、前記ステントの前記ステント本体の内側に適合するように寸法決めされた管状本体を含む、上記項目のいずれかに記載のステント。
（項目１１）
前記展開可能な部材が、可撓性スリーブを含む、上記項目のいずれかに記載のステント。
（項目１２）
前記展開可能な部材が、前記ステントが身体管腔に進入した前記身体管腔の身体管腔進入孔を被覆するように寸法決めされる、上記項目のいずれかに記載のステント。
（項目１３）
身体管腔にステントを留置する方法であって、
ステントを前記身体管腔の進入部位を通して送達することであって、前記ステントがステント本体および展開可能な部材を含む、送達することと、
前記進入部位を被覆するために前記ステント本体から前記展開可能な部材を展開することと、を含む方法。
（項目１４）
前記展開可能な部材を展開することが、前記展開可能な部材を拘束された構成から解放することを含む、上記項目のいずれかに記載の方法。
（項目１５）
前記展開可能な部材を展開することが、前記展開可能な部材を引っ張ることを含む、上記項目のいずれかに記載の方法。
（項目１６）
ステントを身体管腔内に送達するためのシステムであって、
ステントと、
前記身体管腔の壁の進入部位を通して前記ステントを送達するように構成されたステント送達システムと、
前記ステントの近位部分が前記進入部位を少なくとも部分的に被覆するように、前記ステントを前記進入部位に向かって引っ込めるように構成された管状部材であって、前記管状部材が前記ステントの遠位部分に沿って前記ステントの内側を延伸し、前記ステントの壁の孔を通って延伸し、前記ステントの前記近位部分に沿って前記ステントの外側に延伸するように、前記ステントが前記管状部材上に配置される、管状部材と、
前記ステントの前記壁の前記孔から前記管状部材を引き抜いたときに前記ステントの前記壁の前記孔を少なくとも部分的に被覆するように構成された被覆部材と、を含む、システム。
（項目１７）
前記被覆部材が、前記ステントの前記壁の外面に配置され、かつ前記ステントの前記壁の前記孔を通して前記管状部材を引き抜いたときに前記ステントの前記壁の前記孔を封止するように構成される自己封止膜材料を含む、上記項目のいずれかに記載のシステム。
（項目１８）
前記被覆部材が、前記ステントの前記壁の前記孔を通して前記管状部材を引き抜いたときに前記ステントの前記壁の前記孔を封止するように構成されるフラップ弁を含む、上記項目のいずれかに記載のシステム。
（項目１９）
前記被覆部材が、前記ステントの前記壁の前記孔を通して前記管状部材を引き抜いたときに、蝶番弁が前記ステントの前記壁の前記孔を少なくとも部分的に被覆するように蝶番式で動くように構成される前記蝶番弁を含む、上記項目のいずれかに記載のシステム。
（項目２０）
前記ステントの中央部分の外面に配置されたポリマージャケットをさらに含み、前記被覆部材が前記ポリマージャケットに連結されている、上記項目のいずれかに記載のシステム。
（項目Ａ１３）
身体管腔にステントを留置するシステムであって、前記システムは、
ステント本体および展開可能な部材を備えるステントと、
前記ステントを前記身体管腔の進入部位を通して送達するように構成されるステント送達システムと
を含み、
前記展開可能な部材は、前記進入部位を被覆するために前記ステント本体から展開されるように構成される、システム。
（項目Ａ１４）
前記展開可能な部材は、前記展開可能な部材を拘束された構成から解放することによって展開されるように構成される、上記項目のいずれかに記載のシステム。
（項目Ａ１５）
前記展開可能な部材は、前記展開可能な部材を引っ張ることによって展開されるように構成される、上記項目のいずれかに記載のシステム。
（摘要）
身体管腔の進入孔を通してステントを送達し、ステントを展開した後に進入孔を被覆するための方法、装置、およびシステムが記載される。身体管腔接触表面領域を画定するステント本体と、ステント本体から展開してステントの身体管腔接触表面領域を増加させるように構成された展開可能な部材とを含むステントが記載される。ステント本体に対して蝶番式で動く、巻かれた状態から広がる、延伸する、拡張する、および同軸方向に並進する展開可能な部材が記載される。ステントの壁の孔から管状部材を引き抜いたときにステントの壁の孔を少なくとも部分的に被覆するように構成された被覆部材を含み得る、ステントを身体管腔内に送達するためのシステムが記載される。被覆部材は、自己封止膜、フラップ弁、または蝶番弁を含み得る。
【００１４】
記載された方法および装置の適用性のさらなる範囲は、以下の発明を実施するための形態、特許請求の範囲、および図面から明らかになるであろう。発明を実施するための形態および特定の実施例は、例示のみを目的として提供されており、本記載の主旨および範囲内での様々な変更および修正は、当業者に明らかとなるであろう。
【図面の簡単な説明】
【００１５】
実施形態の性質および利点のさらなる理解は、以下の図面を参照することにより実現され得る。添付の図では、同様の構成要素または特徴は、同じ参照ラベルを有し得る。さらに、同じ種類の様々な構成要素は、参照ラベルの後のダッシュおよび同様の構成要素を区別する第２のラベルにより区別され得る。本明細書で第１の参照ラベルのみが使用されている場合、説明は、第２の参照ラベルに関係なく、同じ第１の参照ラベルを持つ同様の構成要素のいずれか１つに適用できる。
【００１６】
【図１Ａ】本開示の態様によるステント送達システムを示す。
【図１Ｂ】本開示の態様による身体管腔内のステント送達システムを示す。
【図１Ｃ】本開示の態様による身体管腔内の展開可能な部材を備えたステントを示す。
【図２Ａ】本開示の態様による、収納された構成の展開可能なフラップ部材を備えたステントを示す。
【図２Ｂ】本開示の態様による、展開された構成の展開可能なフラップ部材を備えたステントを示す。
【図３Ａ】本開示の態様による、収納された構成の展開可能なマルチフラップ部材を備えたステントを示す。
【図３Ｂ】本開示の態様による、展開された構成の展開可能なマルチフラップ部材を備えたステントを示す。
【図４Ａ】本開示の態様による、収納された構成の展開可能な管状部材を備えたステントを示す。
【図４Ｂ】本開示の態様による、展開された構成の展開可能な管状部材を備えたステントを示す。
【図５Ａ】本開示の態様による、収納された構成の展開可能な管状部材を備えたステントを示す。
【図５Ｂ】本開示の態様による、展開された構成の展開可能な管状部材を備えたステントを示す。
【図６Ａ】本開示の態様による、収納された構成の展開可能なスリーブ部材を備えたステントを示す。
【図６Ｂ】本開示の態様による、部分的に展開された構成の展開可能なスリーブ部材を備えたステントを示す。
【図６Ｃ】本開示の態様による、完全に展開された構成の展開可能なスリーブ部材を備えたステントを示す。
【図７Ａ】本開示の態様による、収納された構成の展開可能な管状部材を備えたステントを示す。
【図７Ｂ】本開示の態様による、展開された構成の展開可能な管状部材を備えたステントを示す。
【図８】本開示の態様による、展開された構成の展開可能な管状部材を備えたステントを示す。
【図９】本開示の態様による、可変半径方向圧縮プロファイルを備えたステントを示す。
【図１０】本開示の態様による、膵胆管系の身体管腔にステントを送達するためのステント送達システムを示す。
【図１１】本開示の態様による、膵胆管系の身体管腔にステントを送達するためのステント送達システムを示す。
【図１２Ａ】本開示の態様による、進入部位に向かって引き込まれたステントを備えたステント送達システムを示す。
【図１２Ｂ】本開示の態様による、完全に展開されたステントを備えたステント送達システムを示す。
【図１３】本開示の態様による、フラップ弁を備えたステントを備えたステント送達システムを示す。
【図１４】本開示の態様による、蝶番弁を備えたステントを備えたステント送達システムを示す。
【図１５】本開示の態様による、自己封止膜を備えたステントを備えたステント送達システムを示す。
【図１６】本開示の態様による、身体管腔内にステントを送達する方法のフローチャートを示す。
【図１７】本開示の態様による、身体管腔内にステントを送達する方法のフローチャートを示す。
【図１８】本開示の態様による、身体管腔内にステントを送達する方法のフローチャートを示す。
【発明を実施するための形態】
【００１７】
本開示は一般に、ステントを身体管腔内に配置することを対象とする。本明細書に記載の特定の手順では、身体管腔内にステントを配置するために、管腔壁に孔を開け、ステント送達システムを孔（すなわち進入孔）に通して前進させ、標的部位に（例えば閉塞を横切って）配置する。次に、ステントをステント送達システムから展開し、ステント送達システムを同じ孔を通して内腔から引き出す。孔が被覆されていない場合、内腔からの液体が周囲の組織や器官に漏れ出す可能性があり、深刻な不快感やその他の医学的合併症を潜在的に引き起こす場合がある。
【００１８】
本明細書では、ステント送達システムが身体管腔から引き出された後に進入孔を被覆するための装置、システム、および方法が記載される。例えば、進入孔を被覆するためにステント送達システムが引き出された後に展開する１つ以上の展開可能な部材を含むステントが記載される。展開可能な部材は、最初にステント内に収納され、ステント送達システムが引き出されるとステントの内側から展開するように構成されてもよい。ステント送達システムは、展開可能な部材と相互作用して、展開可能な部材が進入孔から引き出されるときにそれを拘束された構成から解放するか、または引っ張ることによって、展開可能な部材を展開することができる。
【００１９】
いくつかの場合、本明細書では、ステント送達システム（例えば、ガイドワイヤ管腔およびガイドワイヤ）が身体管腔から引き出された後にステントの壁の孔を被覆するための装置、システム、および方法が記載される。そのような場合、ステントは、ステントの壁の孔を封止するように構成された被覆部材を含んでもよい。被覆部材は、フラップ弁、蝶番弁、または自己封止膜の一実施であり得る。
【００２０】
ここで、本開示の実施形態について図面を参照して詳細に説明する。本明細書で使用される場合、「臨床者」という用語は、医師、外科医、看護師、または任意の他の医療提供者を指し、支援要員を含み得る。「近位」という用語は、臨床者により近い装置またはその構成要素の部分を指し、「遠位」という用語は、臨床者からより遠い装置またはその構成要素の部分を指す。
【００２１】
図１Ａは、本開示の態様によるステント送達システム１００を示す。ステント送達システム１００は、身体管腔１８０内にステント１０５を配置して、身体管腔１８０内の狭窄領域または閉塞部を通る管腔の流れを回復するように構成され得る。ステント送達システム１００は、膵胆管系、動脈系、気管支系、尿路系、またはステント治療を必要とし得る任意の他の管腔系に関連するものなどの、任意の身体管腔１８０内にステント１０５を配置するように寸法決めされるか、または別の方法で適合され得る。ステント送達システム１００は、一般に、外側シース１１０とプッシャー１１５とを含む。ガイドワイヤ管腔１２０は、ステント送達システム１００の一部であっても、別個の構成要素であってもよい。ステント送達システム１００は、個々の構成要素、選択的に組み合わされた構成要素として、または構成要素のキットとしてすべて一緒に提供され得る。
【００２２】
外側シース１１０は、ステント１０５が標的身体管腔１８０まで移動する導管を提供するように寸法決めされた細長い管状の可撓性構造である。外側シース１１０は、例えば、内視鏡の作業チャネルを通して人体に進入し得る。理解されるように、外側シース１１０は、医療用シース、カテーテルなどに適した任意の数の生体適合性材料または材料の組み合わせから作製することができる。プッシャー１１５は、外側シース１１０を通って前進するように寸法決めされ、一般に、ステント１０５を外側シース１１０の遠位端１２５から身体管腔１８０に押し込むのに十分な円柱強度を有する可撓性材料から構築される。プッシャー１１５は、硬質ロッドであり得るか、または図１Ａに示されるように、ガイドワイヤ管腔１２０が通過し得る内部管腔を含み得る。外側シース１１０と同様に、プッシャー１１５は、人体での使用に適した任意の数の材料から作製されてもよい。
【００２３】
一般に、ステント１０５は、身体管腔１８０内での配置のために寸法決めされたフレームまたは足場構造であり、身体管腔１８０の内面に構造的支持を提供するように構成される。ステント１０５を使用して、炎症、腫瘍、プラークの蓄積、または任意の他の閉塞性の特徴に起因する身体管腔１８０内の狭窄または閉塞領域にわたって開通性を回復することができる。例えば、図１０〜図１１を参照してより詳細に記載されるように、ステント１０５を大十二指腸乳頭を横切って配置して、総胆管から十二指腸への管腔の流れを回復させることができる。本明細書では膵胆管系への言及が提供されているが、本明細書で記載されるステント１０５は、任意の身体管腔１８０で使用できることを理解されたい。
【００２４】
ステント１０５は、自己拡張型ステントであってもよい。そのような実施例では、ステント１０５は、外側シース１１０内で半径方向に圧縮され、外側シース１１０を出るときに自然により大きな円周に拡張する。あるいは、ステント１０５は、身体管腔１８０内でステント１０５を拡張するためにバルーンまたは同様の拡張要素を必要とし得る。いずれにせよ、ステント１０５は、一般に、拡張時に身体管腔１８０の内周面全体に接触するように寸法決めされる。ステント１０５と身体管腔１８０の内面との間の接触表面は、本明細書では、身体管腔接触表面領域と呼ばれる。
【００２５】
ステント１０５は、任意の数の材料、材料の組み合わせ、および構造から作製されてもよい。例えば、ステント１０５は、クロスハッチ構成で一緒に接合された複数のワイヤから作製された編組ステントであってもよい。図１〜図７および図９〜図１１に示すステント１０５は、編組ステントであるか、または編組されたステント本体１３５を少なくとも含む。しかしながら、ステント１０５は、他のステント構造またはステント構造の組み合わせから作製されてもよいことを理解されたい。他の実施例では、ステント１０５は、可撓性を高めるために切り取られた領域を伴う、単一の金属管から形成されたレーザーカットステントである。さらに他の実施例では、ステント１０５は、図８に示されるように、１つ以上のらせん状に巻き付けられたワイヤによって形成されたワイヤ状ステントである。異なるステント構造が、個別の使用に有利な特定の構造を付与し得る、半径方向の拡張力、可撓性、縮小の減少、または移動抵抗性などの特定の特性を示し得ることが理解され得る。図８を参照して記載されるように、ステント１０５は、それぞれの構造の固有の特性を利用するために、１つのステント構造（例えば、レーザーカット）から作製された、いくつかの部分と別のステント構造（例えば、編組）から作製された別の部分とを含むことができる。さらに、図９を参照して記載されるように、ステント１０５が身体管腔１８０の内面に示す半径方向の拡張力をステント１０５の長さに沿って変化させて、移動抵抗性を改善し、最も必要とされる場所に構造的支持を提供することができる。
【００２６】
ステント１０５の個々のワイヤまたはフレームは、チタン、ニチノール、またはステンレス鋼を含むがこれらに限定されない任意の数の金属材料から作製され得る。他の金属材料または非金属材料を使用して、適切な可撓性、剛性、および生体適合性を提供するステント１０５を構築できることを理解されたい。ステント１０５は、ステント１０５の表面の一部またはすべてを被覆するポリマーまたは布製スリーブを含むことができる。そのようなスリーブは、身体管腔１８０の内面をステント１０５の露出金属面から保護し、組織の内部成長を防止し得る。いくつかの実施例では、ステント１０５は薬剤溶出ステントである。
【００２７】
さらに図１Ａを参照すると、身体管腔１８０内にステント送達システム１００を配置するために、身体管腔１８０の壁１９０を通して進入部位１８５が形成され、次いで、ガイドワイヤ管腔１２０が、進入部位１８５を通って身体管腔１８０内へ前進する。身体管腔１８０に進入し、ガイドワイヤ管腔１２０を好ましい方向で身体管腔１８０に方向付けるためのシステム、装置、および方法は、本出願の譲受人に一般的に譲渡されている「Ｃａｔｈｅｔｅｒ  Ｗｉｔｈ  Ｐｒｅ−Ｆｏｒｍｅｄ  Ｇｅｏｍｅｔｒｙ  ｆｏｒ  Ｅｎｄｏｓｃｏｐｉｃ  Ｕｌｔｒａｓｏｕｎｄ−Ｇｕｉｄｅｄ  Ａｃｃｅｓｓ」と題する米国特許出願第ＸＸ／ＸＸＸ、ＸＸＸ号に記載されており、その全内容は本明細書に組み込まれる。
【００２８】
ガイドワイヤ管腔１２０が所定の位置に配置されると、外側シース１１０は、矢印１４０で示されるように、ガイドワイヤ管腔１２０を越えて、進入部位１８５を通って、身体管腔１８０内へと、遠位方向に前進する。外側シース１１０を進入部位１８５を通して前進させると、（図１Ｂに示すように）進入部位１８５は、（図１Ａに示すように）ガイドワイヤ管腔１２０を用いて身体管腔１８０に進入するのに必要な初期サイズを超えて拡張し得る。場合によっては、外側シース１１０の外径は１０Ｆ（３．３３ｍｍ）以上の大きさであり得る。ステント送達システム１００が身体管腔１８０から引き出されると、進入部位１８５が広がることによって、身体管腔１８０から周囲の組織に流体が漏れ出す場合があり、それにより患者に不快感または他の合併症を引き起こす可能性があることが理解され得る。
【００２９】
図１Ｂは、身体管腔１８０内にあり、ステント１０５が完全に展開された状態の、図１Ａのステント送達システム１００を示す。ステント送達システム１００からステント１０５を展開するために、プッシャー１１５は、矢印１４０で示されるように、外側シース１１０に対して遠位方向に前進するか、または外側シース１１０はプッシャー１１５に対して近位方向に引き出される。プッシャー１１５がステント１０５に当接するので、プッシャー１１５が遠位方向に進められるとき、または外側シース１１０が近位方向に引き出されるとき、ステント１０５は外側シース１１０の遠位端１２５から押される。自己拡張型ステントの場合、ステント１０５は、それが外側シース１１０を出るとき拡張して身体管腔１８０の内面に接触する。
【００３０】
図１Ｃは、身体管腔１８０内で完全に展開され、ステント送達システム１００が身体管腔１８０から完全に引き出された状態の、図１Ａ〜図１Ｂのステント１０５を示す。ステント１０５の配置が成功した後にステント送達システム１００を引き出すために、外側シース１１０およびプッシャー１１５は、進入部位１８５を通って引き戻される。ガイドワイヤ管腔１２０も進入部位１８５を通って引き戻され、外側シース１１０およびプッシャー１１５の前、後、または同時にそれを実施することができる。ステント送達システム１００が身体管腔１８０から引き出された後、管腔１８０からの液体が周囲の組織に漏れ出る場合がある。総胆管の場合、周囲の組織への胆汁の漏出は、患者に深刻な不快感を引き起こす場合がある。
【００３１】
身体管腔１８０からの流体の流れを防止または少なくとも阻止するために、ステント１０５またはステント送達システム１００の特徴は、進入部位１８５を少なくとも部分的に被覆するように構成される。例えば、ステント１０５は、進入部位１８５を被覆するためにステント１０５のステント本体１３５から展開する展開可能な部材１３０を含むことができる。一般に、展開可能な部材１３０は、一旦展開されると、ステント１０５の身体管腔接触表面領域を増加させる。展開可能な部材１３０は、一般に、ステント本体１３５と連結されており、展開後もステント本体１３５に取り付けられたままである。様々な図を参照して記載されるように、展開可能な部材１３０は、ステント本体１３５から離れるように蝶番式に動くことにより、巻かれた状態から広がることにより、伸長することにより、拡張することにより、または並進することにより、ステント本体１３５から展開することができる。展開可能な部材１３０は、（図１Ｃに示されるように）身体管腔１８０の円周部分の一部に接触してもよく、または代わりに円周部分全体に接触してもよい。
【００３２】
展開可能な部材１３０は、ステント本体１３５と同じ材料および構造から作製され得るか、または代わりに異なる材料もしくは構造から作製され得る１つ以上の別個の要素を含み得る。例えば、展開可能な部材１３０は、ステント本体１３５と同様のフレームまたは足場構造を含んでもよい。フレームまたは足場構造から作製される場合、展開可能な部材１３０は、液体が展開可能な部材１３０を通って流れるのを少なくとも部分的に防止するカバーまたはウェビングを含み得る。追加的または代替的に、フレームまたは足場は、それを通る液体の流れを少なくとも部分的に防止するために密に配置されてもよい（例えば、メッシュ）。場合によっては、展開可能な部材１３０は、フレームのない硬質の単一部品である。展開可能な部材１３０は、凝固または治癒を促進する材料、または吸収性または接着性の材料など、進入部位１８５を閉じるのに特に適した特性を備えた材料を含むことができる。
【００３３】
展開可能な部材１３０は、ステント送達システム１００が進入部位１８５を通って引き戻される間またはその後に展開するようにトリガされ得る。いくつかの実施例では、展開可能な部材１３０は、ステント送達システム１００またはステント１０５の何らかの構成要素により、展開前または収納位置に拘束されており、次いで、身体管腔１８０からステント送達システム１００を取り除くことによって、展開可能な部材１３０は、非拘束となり、進入部位１８５を被覆するように展開される。追加的または代替的に、ステント送達システム１００の何らかの構成要素は、ステント送達システム１００が身体管腔１８０から引き出される間またはその後に、展開可能な部材１３０を展開位置に引っ張るか、または別の方法で展開位置に仕向けることができる。
【００３４】
図２Ａは、本開示の態様による、身体管腔１８０内で完全に展開されたステント１０５−ａを示す。ステント１０５−ａは、図１Ａ〜図１Ｃのステント１０５の一実施例であり得る。ステント１０５−ａは、ステント本体１３５−ａ内に収納された状態で示される展開可能な部材１３０−ａを含む。展開可能な部材１３０−ａは、ステント本体１３５−ａと蝶番式で連結されたフラップである。展開可能な部材１３０−ａは、矢印２０５で示されるように、ステント本体１３５−ａの内側（図２Ａに示されるように）からステント本体１３５−ａの外側（図２Ｂに示されるように）に蝶番式で動くことによりステント本体１３５−ａから展開され、それにより、ステント１０５−ａの身体管腔接触表面領域を増加させ得る。したがって、展開可能な部材１３０−ａの長さは、それがステント本体１３５−ａの内側から外側に蝶番式で動くときにステント本体１３５−ａの内面から取り除かれるように選択される。
【００３５】
展開可能な部材１３０−ａは、拘束されていないときに、図２Ｂに示される展開された構成にバネ式で開くように構成されてもよい。例えば、展開可能な部材１３０−ａは、収納された構成にあるときに弾性位置エネルギーを蓄積する材料もしくは構成要素から作製されるか、またはそれらを含むことができる。そのような実施例では、ステント送達システム１００の何らかの構成要素（例えば、ガイドワイヤ管腔１２０またはプッシャー１１５）は、ステント送達システム１００が身体管腔１８０内に依然として存在している間、展開可能な部材１３０−ａを収納された構成に維持することができる。したがって、特定の構成要素が身体管腔１８０から引き出されると、展開可能な部材１３０−ａは、図２Ｂに示される展開された構成へと自由にバネ式に開く。
【００３６】
追加的または代替的に、展開可能な部材１３０−ａは、引き糸（例えば、外科用縫合糸）によってステント送達システム１００の何らかの構成要素に分離可能に接続されてもよい。そのような例では、ステント送達システム１００が身体管腔１８０から引き出されるときに、展開可能な部材１３０−ａは、ステント送達システム１００が進入部位１８５を出るときにステント送達システム１００によって、図２Ｂに示される展開された構成へと引き出される。ステント送達システム１００が身体管腔１８０から完全に引き出されると、ステント送達システム１００と展開可能な部材１３０−ａとの間の接続を分離することができる（例えば、引き糸を切断するか、または別の方法で切り離す）。
【００３７】
展開可能な部材１３０−ａは、フレームまたは他の支持構造を含んでもよく、ステント本体１３５−ａと同じ材料または複数の材料から作製されてもよい。他の実施例では、展開可能な部材１３０−ａは、ステント本体１３５−ａとは異なる材料から作製される。展開可能な部材１３０−ａの構造を形成する材料は、展開可能な部材１３０−ａを通る流体の流れを阻止するように密に配置されてもよい（例えば、メッシュ状）。展開可能な部材１３０−ａは、それを通る流体の流れを防止または少なくとも阻止する、ウェブ、コーティング、または他の何らかのカバー（例えば、シリコン、ポリウレタン、ポリテトラフルオロエチレン、布地）も含むことができる。
【００３８】
図３Ａは、本開示の態様による身体管腔１８０内の完全に展開されたステント１０５−ｂを示す。ステント１０５−ｂは、図１Ａ〜図１Ｃを参照して説明されるステント１０５の一実施例であり得る。ステント１０５−ｂは、ステント本体１３５−ｂ内に収納された状態で示される展開可能な部材１３０−ｂを含む。展開可能な部材１３０−ｂは、ステント本体１３５−ｂと蝶番式で連結された複数のフラップを含む。展開可能な部材１３０−ｂの個々のフラップは、図２Ａ〜図２Ｂを参照して説明される展開可能な部材１３０−ａの単一のフラップの特徴の一実施例であるか、またはそれを含むことができる。展開可能な部材１３０−ｂの個々のフラップは、矢印３０５で示されるように、ステント本体１３５−ｂの内側（図３Ａに示されるように）からステント本体１３５−ｂの外側（図３Ｂに示されるように）に蝶番式で動くことによりステント本体１３５−ｂから展開され、それにより、ステント１０５−ｂの身体管腔接触表面領域を増加させ得る。
【００３９】
展開可能な部材１３０−ｂの個々のフラップは、ステント本体１３５−ｂの円周の周りに等間隔で離間され得る。したがって、展開されると、展開可能な部材１３０−ｂは、身体管腔１８０の全円周の周りを被覆する。あるいは、フラップは、ステント本体１３５−ｂの一部の円周の周りにのみ離間され得る。そのような場合、ステント１０５−ｂは、展開可能な部材１３０−ｂが展開時に進入部位１８５を被覆するように、身体管腔１８０に対して半径方向に整列される。展開可能な部材１３０−ｂのフラップの数および寸法に応じて、フラップは少なくとも部分的に重なり合ってもよく、したがってステント本体１３５−ｂの円周の周りに連続的な様式で展開してもよい。
【００４０】
展開可能な部材１３０−ｂは、拘束されていないときに、図３Ｂに示される展開された構成にバネ式で開くように構成され得る。例えば、展開可能な部材１３０−ｂは、収納された構成にあるときに弾性位置エネルギーを蓄積する材料もしくは構成要素から作製されるか、またはそれらを含むことができる。そのような実施例では、ステント送達システム１００の何らかの構成要素（例えば、ガイドワイヤ管腔１２０またはプッシャー１１５）は、ステント送達システム１００が身体管腔１８０内に依然として存在している間、展開可能な部材１３０−ｂを収納された構成に維持することができる。したがって、特定の構成要素が身体管腔１８０から引き出されると、展開可能な部材１３０−ｂは、図３Ｂに示される展開された構成へと自由にバネ式に開く。
【００４１】
追加的または代替的に、展開可能な部材１３０−ｂは、引き糸（例えば、外科用縫合糸）によってステント送達システム１００の何らかの構成要素に分離可能に接続されてもよい。そのような実施例では、ステント送達システム１００が身体管腔１８０から引き出されるとき、展開可能な部材１３０−ｂは、ステント送達システム１００が進入部位１８５を出るときにステント送達システム１００によって、図３Ｂに示される展開された構成へと引き出される。ステント送達システム１００が身体管腔１８０から完全に引き出されると、ステント送達システム１００と展開可能な部材１３０−ｂとの間の接続を分離することができる（例えば、引き糸を切断するか、または別の方法で切り離す）。
【００４２】
展開可能な部材１３０−ｂの個々のフラップは、フレームまたは他の支持構造を含んでもよく、ステント本体１３５−ｂと同じ材料または複数の材料から作製されてもよい。他の実施例では、展開可能な部材１３０−ｂは、ステント本体１３５−ｂとは異なる材料から作製される。展開可能な部材１３０−ｂの構造を形成する材料は、展開可能な部材１３０−ｂを通る流体の流れを阻止するように密に配置されてもよい（例えば、メッシュ状）。展開可能な部材１３０−ｂは、それを通る流体の流れを防止または少なくとも阻止する、ウェブ、コーティング、または他の何らかのカバー（例えば、シリコン、ポリウレタン、ポリテトラフルオロエチレン、布地）も含むことができる。
【００４３】
図４Ａは、本開示の態様による、身体管腔１８０内で完全に展開されたステント１０５−ｃを示す。ステント１０５−ｃは、図１Ａ〜図１Ｃを参照して説明されるステント１０５の一実施例であり得る。ステント１０５−ｃは、収納された構成で示される展開可能な部材１３０−ｃを含む。展開可能な部材１３０−ｃは、アコーディオンのように拡張および収縮するように構成された管であり、進入部位１８５に近接したステント本体１３５−ｃの端部と連結されている。収納された構成では、展開可能な部材１３０−ｃは、図４Ａに示すように収縮しており、ステント本体１３５−ｃ内に部分的または完全に収容されてもよい。展開可能な部材１３０−ｃは、それが伸長するまで（図４Ｂに示すように）ステント本体１３５−ｃから離れるように軸方向に長さを延伸することにより（矢印４０５で示すように）、ステント本体１３５−ｃから展開され、それにより、ステント１０５−ｃの身体管腔接触表面領域を増加させ得る。
【００４４】
展開可能な部材１３０−ｃは、拘束されていないときに、図４Ｂに示される展開された構成にバネ式で開くように構成されてもよい。例えば、展開可能な部材１３０−ｃは、収納された構成にあるときに弾性位置エネルギーを蓄積する材料もしくは構成要素から作製されるか、またはそれらを含むことができる。そのような実施例では、ステント送達システム１００の何らかの構成要素（例えば、ガイドワイヤ管腔１２０またはプッシャー１１５）は、ステント送達システム１００が身体管腔１８０内に依然として存在している間、展開可能な部材１３０−ｃを収納された構成に保持することができる。したがって、特定の構成要素が身体管腔１８０から引き出されると、展開可能な部材１３０−ｃは、図４Ｂに示される展開された構成へと自由にバネ式に開く。
【００４５】
追加的または代替的に、展開可能な部材１３０−ｃは、引き糸（例えば、外科用縫合糸）によってステント送達システム１００の何らかの構成要素に分離可能に接続されてもよい。そのような実施例では、ステント送達システム１００が身体管腔１８０から引き出されるとき、展開可能な部材１３０−ｃは、ステント送達システム１００が進入部位１８５を出るときにステント送達システム１００によって、図４Ｂに示される展開された構成へと引き出される。ステント送達システム１００が身体管腔１８０から完全に引き出されると、ステント送達システム１００と展開可能な部材１３０−ｃとの間の接続を分離することができる（例えば、引き糸を切断するか、または別の方法で切り離す）。
【００４６】
展開可能な部材１３０−ｃは、フレームまたは他の支持構造を含んでもよく、ステント本体１３５−ｃと同じ材料または複数の材料から作製されてもよい。他の実施例では、展開可能な部材１３０−ｃは、ステント本体１３５−ｃとは異なる材料から作製される。展開可能な部材１３０−ｃの構造を形成する材料は、展開可能な部材１３０−ｃを通る流体の流れを阻止するように密に配置されてもよい（例えば、メッシュ状）。展開可能な部材１３０−ｃは、それを通る流体の流れを防止または少なくとも阻止する、ウェブ、コーティング、または他の何らかのカバー（例えば、シリコン、ポリウレタン、ポリテトラフルオロエチレン、布地）も含むことができる。
【００４７】
図５Ａは、本開示の態様による、身体管腔１８０内で完全に展開されたステント１０５−ｄを示す。ステント１０５−ｄは、図１Ａ〜図１Ｃを参照して説明されるステント１０５の一実施例であり得る。ステント１０５−ｄは、収納された構成で示される展開可能な部材１３０−ｄを含む。展開可能な部材１３０−ｄは、アコーディオンのように拡張および収縮するように構成された管であり、進入部位１８５に近接したステント本体１３５−ｄの端部と連結されている。収納された構成では、展開可能な部材１３０−ｄは、図５Ａに示すように収縮しており、ステント本体１３５−ｄ内に部分的または完全に収容されてもよい。展開可能な部材１３０−ｄは、それが伸長するまで（図５Ｂに示すように）、矢印５０５で示すように、ステント本体１３５−ｄから離れるように軸方向に長さを延伸することにより、ステント本体１３５−ｄから展開され、それにより、ステント１０５−ｄの身体管腔接触表面領域を増加させ得る。
【００４８】
展開可能な部材１３０−ｄは、拘束されていないときに、図５Ｂに示される展開された構成にバネ式で開くように構成されてもよい。例えば、展開可能な部材１３０−ｄは、収納された構成にあるときに弾性位置エネルギーを蓄積する材料から作製されてもよい。追加的または代替的に、展開可能な部材１３０−ｄは、展開可能な部材１３０−ｄを軸方向に伸長させる１つ以上の統合されたバネ要素５１０を含み得る。そのような実施例では、ステント送達システム１００の何らかの構成要素（例えば、ガイドワイヤ管腔１２０またはプッシャー１１５）は、ステント送達システム１００が身体管腔１８０内に依然として存在している間、展開可能な部材１３０−ｄを収納された構成に保持することができる。したがって、特定の構成要素が身体管腔１８０から引き出されると、展開可能な部材１３０−ｄは、図５Ｂに示される展開された構成へと自由にバネ式に開く。
【００４９】
追加的または代替的に、展開可能な部材１３０−ｄは、引き糸（例えば、外科用縫合糸）によってステント送達システム１００の何らかの構成要素に分離可能に接続されてもよい。そのような実施例では、ステント送達システム１００が身体管腔１８０から引き出されるとき、展開可能な部材１３０−ｄは、ステント送達システム１００が進入部位１８５を出るときにステント送達システム１００によって、図５Ｂに示される展開された構成へと引き出される。ステント送達システム１００が身体管腔１８０から完全に引き出されると、ステント送達システム１００と展開可能な部材１３０−ｄとの間の接続を分離することができる（例えば、引き糸を切断するか、または別の方法で切り離す）。
【００５０】
展開可能な部材１３０−ｄは、フレームまたは他の支持構造を含んでもよく、ステント本体１３５−ｄと同じ材料または複数の材料から作製されてもよい。他の実施例では、展開可能な部材１３０−ｄは、ステント本体１３５−ｄとは異なる材料から作製される。展開可能な部材１３０−ｄの構造を形成する材料は、展開可能な部材１３０−ｄを通る流体の流れを阻止するように密に配置されてもよい（例えば、メッシュ状）。展開可能な部材１３０−ｄは、それを通る流体の流れを防止または少なくとも阻止する、ウェブ、コーティング、または他の何らかのカバー（例えば、シリコン、ポリウレタン、ポリテトラフルオロエチレン、布地）も含むことができる。あるいは、展開可能な部材１３０−ｄは、統合されたバネ要素５１０によって略円筒形状に保持される比較的薄っぺらい材料から作製されてもよい。
【００５１】
図６Ａは、本開示の態様による、身体管腔１８０内で完全に展開されたステント１０５−ｅを示す。ステント１０５−ｅは、図１Ａ〜図１Ｃを参照して説明されるステント１０５の一実施例であり得る。ステント１０５−ｅは、ステント本体１３５−ｅ内に収納された状態で示される展開可能な部材１３０−ｅを含む。展開可能な部材１３０−ｅは、可撓性スリーブである。収納された構成では、展開可能な部材１３０−ｅは、図６Ａに示すようにステント本体１３５−ｅの内側に折り畳まれている。展開可能な部材１３０−ｅは、矢印６０５で示すように、それが完全に広がるまで（図６Ｃに示すように）ステント本体１３５−ｅの内側から広げることにより（図６Ｂに示すように）、ステント本体１３５−ｅから展開され、それにより、ステント１０５−ｅの身体管腔接触表面領域を増加させ得る。
【００５２】
展開可能な部材１３０−ｅは、ステント送達システム１００に連結された引き糸６１０または他の何らかの引張機構に分離可能に接続される。ステント送達システム１００が身体管腔１８０から引き出されるとき、展開可能な部材１３０−ｅは、図６Ａから図６Ｃへの漸進において示されるように、ステント本体１３５−ｅの内側からステント本体１３５−ｅの外側に広がるまで、引き糸６１０によって引っ張られる。ステント送達システム１００が身体管腔１８０から完全に引き出されると、引き糸６１０は、展開可能な部材１３０−ｅまたはステント送達システム１００から分離され得る。
【００５３】
展開可能な部材１３０−ｅは、フレームまたは他の支持構造を含んでもよく、ステント本体１３５−ｅと同じ材料または複数の材料から作製されてもよい。他の実施例では、展開可能な部材１３０−ｅは、ステント本体１３５−ｅとは異なる材料から作製される。展開可能な部材１３０−ｅの構造を形成する材料は、展開可能な部材１３０−ｅを通る流体の流れを阻止するように密に配置されてもよい（例えば、メッシュ状）。展開可能な部材１３０−ｅは、それを通る流体の流れを防止または少なくとも阻止する、ウェブ、コーティング、または他の何らかのカバー（例えば、シリコン、ポリウレタン、ポリテトラフルオロエチレン、布地）も含むことができる。
【００５４】
図７Ａは、本開示の態様による、身体管腔１８０内で完全に展開されたステント１０５−ｆを示す。ステント１０５−ｆは、図１Ａ〜図１Ｃを参照して説明されるステント１０５の一実施例であり得る。ステント１０５−ｆは、ステント本体１３５−ｆ内に収納された状態で示される展開可能な部材１３０−ｆを含む。展開可能な部材１３０−ｆは、ステント本体１３５−ｆの内側に適合するように寸法決めされた管状部材である。いくつかの実施例では、展開可能な部材１３０−ｆは、より小さい直径であることを除き、ステント本体１３５−ｆと構造および材料が類似している。収納された構成では、展開可能な部材１３０−ｆは、図７Ａに示すようにステント本体１３５−ｆの内側に収容されている。展開可能な部材１３０−ｆの遠位端は、可撓性カフまたはスリーブによってステント本体１３５−ｆの近位端に取り付けられている。展開可能な部材１３０−ｅは、矢印７０５で示されるように、ステント本体１３５−ｆと共にステント本体１３５−ｆの内側（図６Ａに示すように）からステント本体１３５−ｆの外側（図７Ｂに示すように）へ同軸方向に並進することにより、ステント本体１３５−ｆから展開され、それにより、ステント１０５−ｆの身体管腔接触表面領域を増加させ得る。
【００５５】
展開可能な部材１３０−ｆは、ステント送達システム１００に連結された引き糸６１０に分離可能に接続される。ステント送達システム１００が身体管腔１８０から引き出されるとき、展開可能な部材１３０−ｆは、ステント本体１３５−ｆの内側からステント本体１３５−ｆの外側に出るまで、引き糸６１０によって引っ張られる。ステント送達システム１００が身体管腔１８０から完全に引き出されると、引き糸６１０は、展開可能な部材１３０−ｆまたはステント送達システム１００から分離され得る。
【００５６】
展開可能な部材１３０−ｆは、フレームまたは他の支持構造を含んでもよく、ステント本体１３５−ｆと同じ材料または複数の材料から作製されてもよい。他の実施例では、展開可能な部材１３０−ｆは、ステント本体１３５−ｆとは異なる材料から作製される。展開可能な部材１３０−ｆの構造を形成する材料は、展開可能な部材１３０−ｆを通る流体の流れを阻止するように密に配置されてもよい（例えば、メッシュ状）。展開可能な部材１３０−ｆは、それを通る流体の流れを防止または少なくとも阻止する、ウェブ、コーティング、または他の何らかのカバー（例えば、シリコン、ポリウレタン、ポリテトラフルオロエチレン、布地）も含むことができる。
【００５７】
図８Ａは、本開示の態様による身体管腔１８０内の完全に展開されたステント１０５−ｇを示す。ステント１０５−ｇは、図１Ａ〜図１Ｃを参照して説明されるステント１０５の一実施例であり得る。前の図に描かれているステント本体とは異なり、ステント本体１３５−ｇはらせん状に巻き付けられたワイヤ状構造から作製される。図示されていないが、ステント本体１３５−ｇは、代わりにレーザーカット構造で作製されてもよい。いずれの場合でも、展開可能な部材１３０−ｇは、編組ステント構造などの異なる構造から作製される。ワイヤ状またはレーザーカットステント本体１３５−ｇは、編組ステントよりもステント送達システム１００から展開されたときの縮小が少ない。したがって、ステント本体１３５−ｇは、標的部位にわたって（例えば、大十二指腸乳頭にわたって）身体管腔１８０内により正確に配置され得る。展開可能な部材１３０−ｇは、図４〜図７を参照して説明した展開可能な部材１３５−ｃ、１３５−ｄ、１３５−ｅ、または１３５−ｆのいずれかの特徴の一実施例であるか、またはそれらを含むことができる。
【００５８】
図９は、本開示の態様による身体管腔１８０内の完全に展開されたステント１０５−ｈを示す。ステント１０５−ｈは、ステント本体１３５−ｈと展開可能な部材１３０−ｈとを含む。ステント１０５−ｈおよび展開可能な部材１３０−ｈは、図１〜図８を参照して説明したステント１０５または展開可能な部材１３０のいずれかの特徴の一実施例であるか、またはそれらを含むことができる。ステント１０５−ｈは、ステント本体１３５−ｈの長さにわたって可変の半径方向力プロファイルを作成するように構成され得る。例えば、ステント１０５−ｈによって身体管腔１８０の内面に加えられる半径方向の圧縮は、近位端よりもステント１０５−ｈの遠位端（進入部位１８５に対して）で大きくなり得る。場合によっては、半径方向の力は、近位セクション９１０に沿ってよりもステント本体１３５−ｈの遠位セクション９０５に沿って大きい。可変の半径方向の圧縮プロファイルは、ステントの移動抵抗性、長期ステントの開通性を改善し、腫瘍の内部成長を減少させ得る。
【００５９】
いくつかの実施例では、半径方向の力プロファイルは、ステント本体１３５−ｈの遠位部分９０５を、近位部分９１０に沿ったものよりも太い編組ワイヤで形成することによって作成される（遠位セクション９０５のより濃い線で示されるように）。そのため、太いワイヤはより硬く、したがってより大きな拡張力を加えることができる。例えば、近位部分９１０のワイヤは、０．００６インチ〜０．００８インチの範囲の直径を有してもよく、一方、遠位部分９０５に沿ったワイヤは、０．００７５インチ〜０．０１０インチの範囲の直径を有してもよい。より太いワイヤを使用する代わりに、遠位セクション９０５は、近位セクション９１０に使用される材料よりも硬い異なる材料から作製されてもよい。他の実施形態では、ステント本体１３５−ｈの近位部分９１０が編組構造で形成されるのに対して、ワイヤ状またはレーザーカット構造で遠位部分９０５を形成することにより、可変の半径方向の力が、達成される。可変の半径方向拡張力の２つのセクション９０５、９１０が示されているが、より直線的に増加する力プロファイルを作成するためにより多くのセクションが含まれ得ることが理解され得る。
【００６０】
本開示の実施形態は、ここで、超音波内視鏡ガイド下胆道ドレナージ（ＥＵＳ−ＢＤ）処置と呼ばれる特定のステント処置の文脈で説明される。図１０を参照すると、膵胆管系内の身体管腔内にステント１０５−ｉを配置するためのステント送達システム１０００が、本開示の態様に従って示される。ステント送達システム１０００は、図１Ａ〜図１Ｃを参照して説明したステント送達システム１００の一実施例であり得、ステント１０５−ｉは、図１〜図９を参照して説明した任意のステント１０５の特徴の一実施例であるか、またはそれらを含み得る。膵胆管系の図示された部分は、胆汁が胆嚢１０３０から十二指腸１０１５に排出される総胆管１００５を含み、そこで胆汁は消化中の食物と混合して反応する。示されるように、総胆管１００５は、十二指腸１０１５に排出される前に、大十二指腸乳頭１０１０（閉塞状態で示される）で膵管１０２０と合流する。
【００６１】
ドレナージ処置は、一般に、臨床者が、内視鏡１０２５（例えば、ＥＵＳ内視鏡）を、胆管が視覚化できる位置まで（例えば、内視鏡検査により）患者の十二指腸１０１５の内腔へと前進させることを含む。図１Ａを参照して説明したように、臨床者は、次いで、内視鏡１０２５の作業チャネルからニードルまたはカニューレ（図示せず）を、十二指腸１０１５の壁を通って（すなわち、十二指腸を横切って）、次いで、総胆管１００５の壁を通って、前進させ、それにより、進入部位１８５を作成することができる。次いで、臨床者は、図１Ｂを参照して説明したように、進入部位１８５を通ってガイドワイヤ管腔１２０−ａを前進させ、次いで、ガイドワイヤ管腔１２０−ａを越えて総胆管１００５内にステント送達システム１０００の外側シース１１０−ａを前進させ、それにより、進入部位１８５を拡張することができる。
【００６２】
図１１を参照すると、ステント送達システム１０００が所定の位置に配置されると、ステント１０５−ｉは、総胆管１００５を通る正常な流れを回復するために、大十二指腸乳頭１０１０にわたってステント送達システム１０００から展開され得る。図１Ｃを参照して説明したように、ステント送達システム１０００が総胆管１００５から引き出されると、展開可能な部材１３０−ｉはステント１０５−ｉの本体から展開して進入部位１８５を被覆することができる。展開可能な部材１３０−ｉは、図１〜図９を参照して説明した任意の展開可能な部材１３０の一実施例であるか、またはその特徴を含むことができる。
【００６３】
図１２Ａは、本開示の態様による、進入部位１８５に向かって引き込まれたステント１０５−ｋを備えたステント送達システム１２００−ａを示す。外側シース１１０が進入部位１８５を通して除去されると、ステント１０５−ｋは、矢印１２０５で示されるように、近位方向に進入部位１８５に向かって引っ張られ得る。例えば、ステント１０５−ｋの近位部分１２１０が進入部位１８５を少なくとも部分的に被覆するまで、ステント１０５−ｋを進入部位１８５に向かって引っ張ることができる。ステント１０５−ｋは、ガイドワイヤ管腔１２０を近位方向に引っ張ることにより、進入部位１８５に向かって引っ込めることができる。例えば、ステント１０５−ｋを、ガイドワイヤ管腔１２０のハブ１２１５を近位方向に引っ張ることにより、進入部位１８５に向かって引っ張ることができる。場合によっては、ガイドワイヤ管腔１２０のハブ１２１５、管腔部材（図示せず）、および外側シース１１０の外側シースハブ１２２０を引っ張ることにより、ステント１０５−ｋを進入部位１８５に向かって引っ張ってもよい。
【００６４】
さらに、ステント１０５−ｋは、進入部位１８５を少なくとも部分的に被覆するために身体管腔１８０内に再配置されてもよい。ステント１０５−ｋを身体管腔１８０内に展開するために、一次拘束部材１２３０が解放されてもよい。ステント１０５−ｋは、一次拘束部材１２３０を近位方向に引っ張ることにより、一次拘束部材１２３０に連結された１つ以上のテザーを引っ張ることにより、またはその両方により、展開され得る。場合によっては、ガイドワイヤ管腔１２０がステント１０５−ｋの遠位部分に沿ってステント１０５−ｋの内側にあり、ステント１０５−ｋの近位部分１２１０に沿ってステント１０５−ｋの外側にあるように、ステント１０５−ｋをガイドワイヤ管腔１２０に配置してもよい。この構成は、部分的なサイドサドル構成と呼ばれる場合がある。
【００６５】
図１２Ｂは、本開示の態様による、完全に展開されたステント１０５−ｋを備えたステント送達システム１２００−ｂを示す。自己拡張型ステントの場合、ステント１０５−ｋは、拡張して身体管腔１８０の内面に接触する。ステント１０５−ｋが身体管腔１８０内で拡張すると、ガイドワイヤ管腔１２０およびガイドワイヤ１２２５は進入部位１８５を通って引き抜かれる。場合によっては、ガイドワイヤ管腔１２０およびガイドワイヤ１２２５は、ステント１０５−ｋの壁の孔を通って延伸してもよい。そのような場合、ガイドワイヤ管腔１２０およびガイドワイヤ１２２５は、ステント１０５−ｋの壁の孔を通って引き抜かれてもよい。
【００６６】
場合によっては、ステントの壁の孔により、身体管腔１８０からの流体が周囲の組織および器官に漏れ出す場合がある。例えば、ステント１０５−ｋは部分的なサイドサドル構成であり得るため、ステント１０５−ｋの孔は進入部位１８５と一列に整列し得る。そのような場合、および以下でさらに詳細に説明するように、システム１２００−ｂは被覆部材を含み得る。被覆部材は、ステント１０５−ｋの壁の孔を通してガイドワイヤ管腔１２０を引き抜くときに、ステント１０５−ｋの壁の孔を少なくとも部分的に被覆するように構成され、それにより、進入部位１８５を少なくとも部分的に封止して、身体管腔１８０からの流体の漏出を防ぐことができる。
【００６７】
図１３は、本開示の態様による、フラップ弁を備えたステント１０５−ｌを備えたステント送達システム１３００を示す。ガイドワイヤ管腔１２０およびガイドワイヤがステント１０５−１の壁の孔を通して引き出されると、被覆部材１３０５は、ステント１０５−１の壁の孔を少なくとも部分的に被覆することができる。例えば、被覆部材１３０５は、フラップ弁の一実施例であり得る。フラップ弁は、ガイドワイヤ管腔１２０がステント１０５−１の壁の孔を通して引き抜かれたときに、ステント１０５−１の壁の孔を封止するように構成されてもよい。例えば、フラップ弁は一方向の制御弁であってもよい。フラップ弁は、ステント１０５−１の内径に配置されてもよい。場合によっては、フラップ弁は、１つ以上のフラップが整列して閉じたフラップ弁を形成できるように、ステント１０５−１の壁の孔の円周の周りに離間された１つ以上のフラップを含むことができる。
【００６８】
図１４は、本開示の態様による、蝶番弁を備えたステント１０５−ｍを備えたステント送達システム１４００を示す。ガイドワイヤ管腔１２０およびガイドワイヤがステント１０５−ｍの壁の孔を通して引き出されると、被覆部材１４０５は、ステント１０５−ｍの壁の孔を少なくとも部分的に被覆することができる。例えば、被覆部材１４０５は、蝶番弁の一実施例であり得る。蝶番弁は、ガイドワイヤ管腔１２０がステント１０５−ｍの壁の孔を通して引き抜かれたときに、ステント１０５−ｍの壁の孔が被覆され得るように、蝶番式で動くように構成され得る。
【００６９】
いくつかの実施例では、蝶番弁は、ガイドワイヤ管腔１２０がステント１０５−ｍの壁の孔を通して配置されるときは開いたままであり、ガイドワイヤ管腔１２０がステント１０５−ｍの壁の孔を通して引き出されるときに閉じるように、軸上で回転し得る。場合によっては、ガイドワイヤ管腔１２０が孔を通って引き抜かれたときに蝶番弁が跳ね返るように、蝶番弁にバネを搭載してもよい。例えば、蝶番弁は、ガイドワイヤ管腔１２０がステント１０５−ｍの壁の孔を通して配置されるときに弾性位置エネルギーを蓄積する材料もしくは構成要素から作製されるか、またはそれらを含むことができる。場合によっては、ステント送達システム１４００は、ステント１０５−ｍの中央部分の外面に配置されたポリマージャケット１４１０を含んでもよい。そのような場合、蝶番弁はポリマージャケット１４１０に連結されてもよい。
【００７０】
図１５は、本開示の態様による、自己封止膜を備えたステント１０５−ｎを備えたステント送達システム１５００を示す。ガイドワイヤ管腔１２０およびガイドワイヤがステント１０５−ｎの壁の孔を通して引き出されると、被覆部材１５０５は、ステント１０５−ｎの壁の孔を少なくとも部分的に被覆することができる。例えば、被覆部材１５０５は、ステント１０５−ｎの壁の外面に配置された自己封止膜材料の一実施例であり得る。自己封止膜材料は、ガイドワイヤ管腔１２０がステント１０５−ｎの壁の孔を通して引き抜かれたときに、ステント１０５−ｎの壁の孔を封止するように構成され得る。例えば、自己封止膜材料は、胆汁の漏出を防止するために直径に近いピン孔を含んでもよい。
【００７１】
図１６は、本開示の様々な態様による身体管腔１８０にステントを留置するための方法１６００を例示するフローチャートを示す。方法１６００の工程は、図１〜図１１を参照して説明されるシステムまたは構成要素のいずれかを用いて実行されてもよく、図１０〜図１１を参照して説明される特定の手順の態様の一実施例であってもよい。ブロック１６０５では、方法１６００は、身体管腔１８０の進入部位１８５を通してステント１０５を送達することを含み得る。図１〜図９を参照して説明したように、ステント１０５は、ステント本体１３５および展開可能な部材１３０を備え得る。ブロック１６１０では、方法１６００は、ステント本体１３５から展開可能な部材１３０を展開して進入部位１８５を被覆することをさらに含み得る。
【００７２】
図１７は、本開示の様々な態様による身体管腔１８０にステントを留置するための方法１７００を例示するフローチャートを示す。方法１７００の工程は、図１〜図１１を参照して説明されるシステムまたは構成要素のいずれかを用いて実行されてもよく、図１０〜図１１を参照して説明される特定の手順の態様の一実施例であってもよい。ブロック１７０５では、方法１７００は、身体管腔１８０の進入部位１８５を通してステント１０５を送達することを含み得る。図１〜図９を参照して説明したように、ステント１０５は、ステント本体１３５および展開可能な部材１３０を備え得る。ブロック１７１０では、方法１３００は、展開可能な部材１３０を拘束された構成から解放して、展開可能な部材１３０をステント本体１３５から展開して進入部位１８５を被覆することをさらに含むことができる。
【００７３】
図１８は、本開示の様々な態様による身体管腔１８０にステントを留置するための方法１８００を例示するフローチャートを示す。方法１４００の工程は、図１〜図１１を参照して説明されるシステムまたは構成要素のいずれかを用いて実行されてもよく、図１０〜図１１を参照して説明される特定の手順の態様の一実施例であってもよい。ブロック１８０５では、方法１８００は、身体管腔１８０の進入部位１８５を通してステント１０５を送達することを含み得る。図１〜図９を参照して説明したように、ステント１０５は、ステント本体１３５および展開可能な部材１３０を備え得る。ブロック１８１０では、方法１８００は、展開可能な部材１３０を引っ張って、展開可能な部材１３０をステント本体１３５から展開して進入部位１８５を被覆することをさらに含むことができる。
【００７４】
これらの方法は可能な実装を記載しており、他の実装が可能になるように操作および工程を再編成または別様に変更することができることに注意されたい。いくつかの実施例では、２つ以上の方法からの態様を組み合わせることができる。例えば、各方法の態様は、他の方法の工程もしくは態様、または本明細書で説明される他の工程もしくは技術を含み得る。
【００７５】
本明細書の記載は、当業者が本開示を作製または使用できるようにするために提供される。本開示に対する様々な修正が当業者には容易に明らかであり、本明細書で定義される一般的な原理は、本開示の範囲から逸脱することなく他の変形に適用され得る。したがって、本開示は、本明細書で記載される実施例および設計に限定されるべきではなく、本明細書で開示される原理および新規の特徴と一致する最も広い範囲が許容されるべきである。
【００７６】
本開示のいくつかの実施形態が本明細書で記載および図示されたが、当業者は、本明細書で記載された機能を実行するか、結果または１つ以上の利点を得るための様々な他の手段または構造を容易に想定するであろうし、そのような変形または修正のそれぞれは、本開示の範囲内であるとみなされる。より一般的に、当業者は、本明細書に記載されるすべてのパラメータ、寸法、材料、および構成が例示的であることを意味し、実際のパラメータ、寸法、材料、または構成が、本開示の教示が使用される特定の用途または複数の用途によって決まることを容易に理解するであろう。
【００７７】
当業者は、日常的な実験のみを使用して、本明細書に記載の本開示の特定の実施形態に対する多くの均等物を認識するか、確認することができるであろう。したがって、前述の実施形態は例としてのみ提示されており、添付の特許請求の範囲およびその均等物の範囲内で、具体的に記載および請求された以外の方法で本開示を実施できることを理解されたい。本開示は、本明細書に記載される個々の特徴、システム、物品、材料、キット、または方法のそれぞれを対象とする。さらに、そのような特徴、システム、物品、材料、キット、または方法が相互に矛盾しない場合、そのような特徴、システム、物品、材料、キット、または方法の２つ以上の任意の組み合わせは、本開示の範囲内に含まれる。
【００７８】
本明細書で定義および使用されるすべての定義は、辞書の定義、参照により組み込まれた文書の定義、または定義された用語の通常の意味を超えて支配することが理解されるべきである。
【００７９】
本明細書および特許請求の範囲においてここで使用される不定冠詞「ａ」および「ａｎ」は、反対のことが明確に示されない限り、「少なくとも１つ」を意味すると理解されるべきである。また、特許請求の範囲を含む本明細書で使用されるとき、項目のリスト（例えば、「の少なくとも１つ」や「１つ以上」などの言い回しが前に付いた項目のリスト）で使用される「または」は、例えば、Ａ、Ｂ、またはＣの少なくとも１つというリストは、ＡまたはＢまたはＣまたはＡＢまたはＡＣまたはＢＣまたはＡＢＣ（すなわち、ＡおよびＢおよびＣ）を意味するような、包括的なリストを示す。
【００８０】
本明細書全体を通して、「一実施形態（ｏｎｅ  ｅｍｂｏｄｉｍｅｎｔ）」または「一実施形態（ａｎ  ｅｍｂｏｄｉｍｅｎｔ）」への言及は、その実施形態態と関連して記載される特定の特徴、構造または特性が、少なくとも１つの実施形態に含まれていることを意味する。したがって、本明細書全体を通して、様々な箇所での「一実施形態では（ｉｎ  ｏｎｅ  ｅｍｂｏｄｉｍｅｎｔ）」または「一実施形態では（ｉｎ  ａｎ  ｅｍｂｏｄｉｍｅｎｔ）」という言い回しの出現は、必ずしも、すべてが同じ実施形態について言及しているわけではない。さらに、特定の特徴、構造または特性は、１つ以上の実施形態において任意の好適な方法で組み合わせることができる。
【図１Ａ】
2020110584.tif 000003
【図１Ｂ】
2020110584.tif 000004
【図１Ｃ】
2020110584.tif 000005
【図２Ａ】
2020110584.tif 000006
【図２Ｂ】
2020110584.tif 000007
【図３Ａ】
2020110584.tif 000008
【図３Ｂ】
2020110584.tif 000009
【図４Ａ】
2020110584.tif 000010
【図４Ｂ】
2020110584.tif 000011
【図５Ａ】
2020110584.tif 000012
【図５Ｂ】
2020110584.tif 000013
【図６Ａ】
2020110584.tif 000014
【図６Ｂ】
2020110584.tif 000015
【図６Ｃ】
2020110584.tif 000016
【図７Ａ】
2020110584.tif 000017
【図７Ｂ】
2020110584.tif 000018
【図８】
2020110584.tif 000019
【図９】
2020110584.tif 000020
【図１０】
2020110584.tif 000021
【図１１】
2020110584.tif 000022
【図１２Ａ】
2020110584.tif 000023
【図１２Ｂ】
2020110584.tif 000024
【図１３】
2020110584.tif 000025
【図１４】
2020110584.tif 000026
【図１５】
2020110584.tif 000027
【図１６】
2020110584.tif 000028
【図１７】
2020110584.tif 000029
【図１８】
2020110584.tif 000030